(57)【特許請求の範囲】
【請求項１】
電線の絶縁被覆が部分的に除去された箇所を修復するための、ヒンジタイプの絶縁電線カバーであって、
２つ割れのカバー本体の長手方向の各片側が、互いにヒンジにより連結され、
他の片側の一方はフックを、他方はフック孔をそれぞれ有し、
前記２つ割れのカバー本体の内側には、前記電線の絶縁被覆が部分的に除去された箇所の両側の絶縁被覆の切断部にそれぞれ嵌合する２つの横ズレ防止用のリブを有し、
前記リブは、前記嵌合し、且つ、前記電線の導体部の外径に対し自在に適合する嵌合部と、前記嵌合部の前記導体部の長手方向へのズレに対する強度を確保する矩形柱状の支持部とから構成され、
前記支持部は、前記矩形柱状の底面をなす矩形の長辺側の中心線と、前記２つ割れのカバー本体の内側の長手方向の中心線とが重なるように対向し、且つ、前記嵌合部の先端部が互いに前記両側の絶縁被覆の切断部に嵌合する位置に設置され、
前記嵌合部は、前記支持部である前記矩形柱状の、前記カバー本体と接触する側の端部と反対側の端部から、互いに前記両側の絶縁被覆の切断部に向かうべく、前記支持部と前記嵌合部とのなす角が鈍角となるように一体化されてなり、且つ、前記電線の絶縁被覆が部分的に除去された電線の導体部に接触する面は、前記導体部に適合する所定の曲率を有することを特徴とする絶縁電線カバー。
【請求項２】
電線の絶縁被覆が部分的に除去された箇所を修復するための、ヒンジタイプの絶縁電線カバーであって、
２つ割れのカバー本体の長手方向の各片側が、互いにヒンジにより連結され、
他の片側の一方はフックを、他方はフック孔をそれぞれ有し、
前記２つ割れのカバー本体の内側には、前記電線の絶縁被覆が部分的に除去された箇所の両側の絶縁被覆の切断部にそれぞれ嵌合する２つの横ズレ防止用のリブを有し、
前記リブは、前記嵌合し、且つ、前記電線の導体部の外径に対し自在に適合する嵌合部と、前記嵌合部の前記導体部の長手方向へのズレに対する強度を確保する矩形柱状の支持部とから構成され、
前記支持部は、前記矩形柱状の底面をなす矩形の長辺と前記２つ割れのカバー本体の内側の長手方向の中心線とが平行で、前記中心線の両側に前記長手方向に離れ、且つ、前記嵌合部の各片側面が互いに前記両側の絶縁被覆の切断部に嵌合する位置に設置され、
前記嵌合部は、前記支持部である前記矩形柱状の、前記カバー本体と接触する側の端部と反対側の端部から、互いに前記２つ割れのカバー本体の割れて開放された方向に向かうべく、Ｊの字形状に一体化されてなることを特徴とする絶縁電線カバー。
【請求項３】
前記リブの前記導体部の長手方向へのズレに対する強度を確保する前記支持部の厚さは、前記嵌合し、且つ、前記電線の導体部の外径に対し自在に適合する嵌合部の厚さ以上であることを特徴とする請求項１又は２に記載の絶縁電線カバー。
【発明の詳細な説明】
【技術分野】
【０００１】
本発明は、絶縁電線の絶縁被覆が部分的に除去された箇所を再度絶縁処理する補修用カバーに係り、詳しくは、架線工事を行うため絶縁被覆が部分的に除去された箇所を修復するための、ヒンジタイプの絶縁電線カバーに関する。
【背景技術】
【０００２】
従来のヒンジタイプの電線絶縁カバーは、２つ割れの本体を電線に挟み込み、フックにて固定されるため、電線に対しての横ズレ防止については、電線被覆剥取り溝に嵌合するリブを設けるか、あるいはカバー内面に電線の外径に対応した粘着層を設けていた。図６は、従来のヒンジタイプの電線絶縁カバーの構造図である。図６ａ−１において、従来の電線絶縁カバー２００−１の２つ割れのカバー本体１、２は、ヒンジ３０により結合されて開閉が自在に行え、フック２０およびフック孔２５により、２つ割れの本体１、２が閉じられて固定される。また本体１、２の内部には、電線被覆剥取り溝をなす電線の被覆部４５に嵌合する横ズレ防止用の複数のリブ５０が設けられている。
【０００３】
図６ａ−２は、電線絶縁カバー２００−１が閉じられた状態を示し、２つ割れのカバー本体１、２が閉じられ、フック２０およびフック孔２５により固定されている。このときリブ５０は、それぞれ対となって対向している。図６ｂ−１は、横ズレ防止用の複数のリブ４０が、電線被覆剥取り溝をなす電線の被覆部４５と嵌合し、電線の導体部４０に密着して、電線絶縁カバー２００−１が閉じられた状態を示している。図６ｂ−２は、リブ５０が、それぞれ対となって対向し、電線の導体部４０に密着した状態を示している。
【０００４】
図７は、従来の他のヒンジタイプの電線絶縁カバーの構造図である。図７ａ−１において、従来の他の電線絶縁カバー２００−２の２つ割れの本体１、２は、ヒンジ３０により結合されて開閉が自在に行え、フック２０およびフック孔２５により、２つ割れの本体１、２が閉じられて固定される。また本体１、２の内部には、電線の被覆部４５の外径に対応した複数の両面粘着テープ６０が設けられている。
【０００５】
図７ａ−２は、他の電線絶縁カバー２００−２が閉じられた状態を示し、２つ割れのカバー本体１、２が閉じられ、フック２０およびフック孔２５により固定されている。このとき両面粘着テープ６０は、それぞれ対となって対向している。図７ｂ−１は、横ズレ防止用の両面粘着テープ６０が、電線の被覆部４５に密着して、他の電線絶縁カバー２００−２が閉じられた状態を示している。図７ｂ−２は、両面粘着テープ６０が、それぞれ対となって対向し、電線の被覆部４５に密着した状態を示している。
【０００６】
図６、７から明らかなように、従来の電線絶縁カバー２００−１においては電線の導体部４０、従来の他の電線絶縁カバー２００−２においては電線の被覆部４５の外径に対してサイズの共用ができず、各サイズに対応したカバーがそれぞれ必要となっていた。また粘着テープを設けた場合は、再利用ができない欠点があった。
【０００７】
特許文献１には、略半筒状とされた両側一対のカバー部材１ａ・１ｂよりなり、該各カバー部材１ａ・１ｂはその長手方向に沿ってその一側がヒンジ２を介して開閉自在に連結されると共に、同他側が係着部材３・５を介して係着自在とされてなる電線補修用カバーであって、上記両側のカバー部材１ａ・１ｂ内周面にはその径方向に向けて弾性を有する所要数の縦突片８ａ・８ｂが各々対向状に突設されると共に、一方のカバー部材１ｂ内周面にはその長手方向に向けて該縦突片８ａ・８ｂに対応すべく横突片７が突設された構成よりなる、旨の記載がある。
【先行技術文献】
【特許文献】
【０００８】
【特許文献１】特開２００３−２６４９１７号公報
【発明の概要】
【発明が解決しようとする課題】
【０００９】
本発明は、このような問題を解決するためになされたものであり、その目的は、電線の導体部の外径に対し自在に適合し、且つ、横ズレ時の強度を確保できるリブを有するヒンジタイプの絶縁電線カバーを提供する。
【課題を解決するための手段】
【００１０】
本発明の絶縁電線カバーは、電線の絶縁被覆が部分的に除去された箇所を修復するための、ヒンジタイプの絶縁電線カバーであって、２つ割れのカバー本体の長手方向の各片方の端部が、互いにヒンジにより連結され、他の片方の端部の一方はフックを、他方はフック孔をそれぞれ有し、２つ割れのカバー本体の内側には、電線の絶縁被覆が部分的に除去された箇所の両側の絶縁被覆の切断部にそれぞれ嵌合する２つの横ズレ防止用のリブを有し、リブは、嵌合し、且つ、電線の導体部の外径に対し自在に適合する嵌合部と、嵌合部の導体部の長手方向へのズレに対する強度を確保する矩形柱状の支持部とから構成され、支持部は、矩形柱状の底面をなす矩形の長辺側の中心線と、２つ割れのカバー本体の内側の長手方向の中心線とが重なるように対向し、且つ、嵌合部の先端部が互いに両側の絶縁被覆の切断部に嵌合する位置に設置され、嵌合部は、支持部である矩形柱状の、前記カバー本体と接触する側の端部と反対側の端部から、互いに両側の絶縁被覆の切断部に向かうべく、前記支持部と前記嵌合部とのなす角が鈍角となるように一体化されてなり、且つ、電線の絶縁被覆が部分的に除去された電線の導体部に接触する面は、導体部に適合する所定の曲率を有することを特徴とする。
【００１１】
本発明の絶縁電線カバーは、電線の絶縁被覆が部分的に除去された箇所を修復するための、ヒンジタイプの絶縁電線カバーであって、２つ割れのカバー本体の長手方向の各片側が、互いにヒンジにより連結され、他の片側の一方はフックを、他方はフック孔をそれぞれ有し、前記２つ割れのカバー本体の内側には、前記電線の絶縁被覆が部分的に除去された箇所の両側の絶縁被覆の切断部にそれぞれ嵌合する２つの横ズレ防止用のリブを有し、前記リブは、電線の絶縁被覆が部分的に除去された箇所の両側の絶縁被覆の切断部に嵌合し、且つ、電線の導体部の外径に対し自在に適合する嵌合部と、嵌合部の導体部の長手方向へのズレに対する強度を確保する矩形柱状の支持部とから構成され、支持部は、矩形柱状の底面をなす矩形の長辺と２つ割れのカバー本体の内側の長手方向の中心線とが平行で、中心線の両側に長手方向に離れ、且つ、嵌合部の各片方の側面が互いに両側の絶縁被覆の切断部に嵌合する位置に設置され、嵌合部は、支持部である矩形柱状の、前記カバー本体と接触する側の端部と反対側の端部から、互いに２つ割れのカバー本体の割れて開放された方向に向かうべく、Ｊの字形状に一体化されてなることを特徴とする。
【００１２】
本発明の絶縁電線カバーのリブの導体部の長手方向へのズレに対する強度を確保する支持部の厚さは、電線の絶縁被覆が部分的に除去された箇所の両側の絶縁被覆の切断部に嵌合し、且つ、電線の導体部の外径に対し自在に適合する嵌合部の厚さ以上であることを特徴とする。
【発明の効果】
【００１３】
本発明によれば、絶縁電線の絶縁被覆が部分的に除去された箇所を修復するため、電線の導体部の外径に対し自在に適合し、且つ、横ズレ時の強度を確保できるリブを有するヒンジタイプの絶縁電線カバーを提供することができる。
【図面の簡単な説明】
【００１４】
【図１】本発明の第１の実施例による絶縁電線カバーの構造図。
【図２】本発明の第１の実施例による絶縁電線カバーと電線との嵌合図。
【図３】本発明の第２の実施例による絶縁電線カバーの構造図。
【図４】本発明の第２の実施例による絶縁電線カバーと電線との嵌合図。
【図５】本発明の絶縁電線カバーの実装状態を示す実装図。
【図６】従来の絶縁電線カバーの構造図。
【図７】従来の他の絶縁電線カバーの構造図。
【発明を実施するための形態】
【実施例】
【００１５】
本発明の実施の形態について、図を用いて説明する。図１は、本発明の第１の実施例による絶縁電線カバーの構造図である。図１ａ−１において、絶縁電線カバー１００−１は、２つ割れのカバー本体１、２の長手方向の各片側が、互いにヒンジ３０により連結されて成る。また、カバー本体１、２の他の片側の一方はフック２０を、他方はフック孔２５をそれぞれ有している。このフック２０及びフック孔２５は、カバー本体１、２が電線の絶縁被覆が部分的に除去された箇所に装着されて閉じられると、その状態を保持して固定する。
【００１６】
また、カバー本体１、２の内側には、図５において説明する電線の絶縁被覆４５が部分的に除去された箇所の両側の絶縁被覆の切断部にそれぞれ嵌合する２つの横ズレ防止用のリブ１０を有している。このリブ１０は、それぞれ絶縁被覆の切断部と嵌合すると共に電線の導体部４０の外径に対し自在に適合する嵌合部１２と、嵌合部１２の電線の導体部４０の長手方向へのズレに対する強度を確保する矩形柱状の支持部１１とから構成されている。図１ａ−２は、カバー本体１、２が閉じられて、フック２０及びフック孔２５により固定された状態を示している。
【００１７】
再び図１ａ−１において、支持部１１は、矩形柱状の底面をなす矩形の長辺側の中心線と、２つ割れのカバー本体１、２の内側の長手方向の中心線とが重なるように対向し、且つ、嵌合部１２の先端部が互いに両側の絶縁被覆４５の切断部に嵌合する位置に設置されている。
【００１８】
図１ｂは、図１ａ−１の切断線Ａ−Ａにおいて切断された切断面を示し、嵌合部１２は、支持部１１である矩形柱状の上部から、互いにカバー本体１、２の両側の口元方向の絶縁被覆４５の切断部に向かうべく、上向きに一体化されている。また、電線の絶縁被覆４５が部分的に除去された電線の導体部４０に接触する面は、導体部４０に適合する所定の曲率を有している。これにより、嵌合部１２の先端部は、電線の導体部４０の外径を安定して捉えることができ、より確実な嵌合を得ることが可能となる。
【００１９】
また、リブ１０の導体部４０の長手方向へのズレに対する強度を確保する支持部１１の厚さは、互いに両側の絶縁被覆４５の切断部に嵌合し、且つ、電線の導体部４０の外径に対し自在に適合する嵌合部１２の厚さ以上である。これにより、支持部１１はリブ１０の導体部４０の長手方向へのズレを安定して支えることができ、嵌合部１２の厚さは支持部１１の厚さ以下であるため、電線の導体部４０の外径を柔軟に安定して捉えることができ、より確実な嵌合を得ることが可能となる。また嵌合部１２の厚さは、先端部に向かって、嵌合の強度を失わない程度に次第に薄くしても良い。
【００２０】
図２は、本発明の第１の実施例による絶縁電線カバーと電線との嵌合状態を示す嵌合図である。図２ａ−１は、電線の外径が細い場合の嵌合状態を示し、嵌合部１２の先端部は絶縁被覆４５の切断部に嵌合しているが、電線の外径が細いため、嵌合の強度を失わない程度に支持部１１に向かってギャップが生じている。図２ａ−２は、電線の外径が太い場合の嵌合状態を示し、嵌合部１２の先端部は絶縁被覆４５の切断部に嵌合すると共に、電線の導体部４０外径に完全に密着している。図２ｂは、図２ａ−１のＢ方向から見たリブ１０の矢視図を示している。嵌合部１２の電線の導体部４０に接する面は、導体部４０に適合する所定の曲率を有している。
【００２１】
図３は、本発明の第２の実施例による絶縁電線カバーの構造図である。絶縁電線カバー１００−２は、図１ａ−１における２つ割れのカバー本体１、２と同じ構造であるため、説明を省略する。図３ａ−１において、リブ１５は、それぞれ絶縁被覆の切断部と嵌合すると共に電線の導体部４０の外径に対し自在に適合する嵌合部１７と、嵌合部１７の電線の導体部４０の長手方向へのズレに対する強度を確保する矩形柱状の支持部１６とから構成されている。図３ａ−２は、カバー本体１、２が閉じられて、フック２０及びフック孔２５により固定された状態を示している。
【００２２】
支持部１６は、矩形柱状の底面をなす矩形の長辺と２つ割れのカバー本体１、２の内側の長手方向の中心線とが平行で、中心線の両側に前記長手方向に離れ、且つ、嵌合部１７の各片側面が互いに両側の絶縁被覆の切断部に嵌合する位置に設置されている。また、嵌合部１７は、支持部１６である矩形柱状の上部から、互いにカバー本体１、２の割れて開放された方向に向かうべく、Ｊの字形状に一体化されて成る。
【００２３】
また、リブ１５の導体部４０の長手方向へのズレに対する強度を確保する支持部１６の厚さは、互いに両側の絶縁被覆４５の切断部に嵌合し、且つ、電線の導体部４０の外径に対し自在に適合する嵌合部１７の厚さ以上である。これにより、支持部１６はリブ１５の導体部４０の長手方向へのズレを安定して支えることができ、嵌合部１７の厚さは支持部１６の厚さ以下であるため、電線の導体部４０の外径を柔軟に安定して捉えることができ、より確実な嵌合を得ることが可能となる。また嵌合部１７の厚さは、先端部に向かって、嵌合の強度を失わない程度に次第に薄くしても良い。
【００２４】
図４は、本発明の第２の実施例による絶縁電線カバーと電線との嵌合図である。図４ａは、電線の外径が細い場合の嵌合状態を示し、嵌合部１７の先端部は絶縁被覆４５の切断部に嵌合しているが、電線の外径が細いため変形が少なく、Ｊの字形状がやや垂れ下がった形状となっている。図４ｂは、電線の外径が太い場合の嵌合状態を示し、電線の外径が太いため変形が多く、Ｊの字形状がより強調された形状となっている。いずれにおいても、電線の導体部４０の外径の違いに対応して、柔軟な完全密着が可能となる。
【００２５】
図５は、本発明の絶縁電線カバーの実装状態を示す実装図である。図５ａ−１は、図２の電線の外径が細い場合と太い場合との中間的な太さの電線に対する嵌合状態を示している。このため、電線の導体部４０と嵌合部１２とのギャップも中間的なギャップとなっている。図５ａ−２は、カバー本体１、２が電線に装着され、閉じられて、フック２０及びフック孔２５により固定された状態を示している。図５ｂ−１は、図４の電線の外径が細い場合と太い場合との中間的な太さの電線に対する嵌合状態を示している。図５ｂ−２は、カバー本体１、２が電線に装着され、閉じられて、フック２０及びフック孔２５により固定された状態を示している。このように、嵌合部１２の変形は中間的となり、通常のＪの字形状となっている。
【００２６】
以上説明したように本発明によれば、電線の導体部の外径に対し自在に適合し、且つ、横ズレ時の強度を確保できるリブを有するヒンジタイプの絶縁電線カバーが可能となる。これにより、電線のサイズ毎に対応したカバーを必要とせず、再利用もできるため、経済効果の高いヒンジタイプの絶縁電線カバーを提供することができる。
【符号の説明】
【００２７】
１  ２つ割れのカバー本体１
２  ２つ割れのカバー本体２
１０  リブ
１１  支持部
１２  嵌合部
１５  リブ
１６  支持部
１７  嵌合部
２０  フック
２５  フック孔
３０  ヒンジ
４０  電線の導体部
４５  電線の被覆部
５０  リブ
６０  両面粘着テープ
１００−１  本発明の第１の実施例による絶縁電線カバー
１００−２  本発明の第２の実施例による絶縁電線カバー
２００−１  従来の電線絶縁カバー
２００−２  従来の他の電線絶縁カバー
【図１】
0005479846.tif 000002
【図２】
0005479846.tif 000003
【図３】
0005479846.tif 000004
【図４】
0005479846.tif 000005
【図５】
0005479846.tif 000006
【図６】
0005479846.tif 000007
【図７】
0005479846.tif 000008